(57)【要約】【課題】部品点数を削減して部品コスト及び組付コストを抑制することで、装置コストを低減することができるベルト駆動装置を提供する。【解決手段】ベルト駆動装置は、装置フレーム１５に取り付けられる駆動モータ１３と、駆動モータ１３のモータ軸１３ａに取り付けられる駆動プーリ１３ｂと、複数の回転体の回転軸にそれぞれ取り付けられる従動プーリ１２ａ，１２ｂと、駆動プーリ１３ａ及び従動プーリ１２ａ，１２ｂに掛け渡されるベルト部材１４と、を備える。駆動モータ１３は、ベルト部材１４に張力を付与する方向にスライド移動が可能に装置フレーム１５等に支持され、ベルト部材１４の張力が所定の値となる駆動モータ１３のスライド位置に自重で移動した状態で装置フレーム１５等に固定手段１６により固定される。【選択図】図２
2010260683.tif 000002
【特許請求の範囲】
【請求項１】
モータ軸に駆動プーリが取り付けられた駆動モータと、複数の回転体の回転軸にそれぞれ取り付けられる従動プーリと、前記駆動プーリ及び複数の前記従動プーリに掛け渡されるベルト部材と、前記駆動モータが取り付けられる支持部材と、該支持部材に前記駆動モータを固定する固定手段と、を備えるベルト駆動装置であって、
前記駆動モータは、前記ベルト部材に張力を付与する方向にスライド移動が可能に前記支持部材に支持されているときに、前記ベルト部材の張力が所定の値となるスライド位置に移動し、該スライド位置にて前記固定手段により前記支持部材に固定される、
ことを特徴とするベルト駆動装置。
【請求項２】
前記駆動モータは、前記支持部材にスライド移動が可能に支持されているときに、その自重により、下方向又は斜め下方向にスライド移動する、
ことを特徴とする請求項１に記載のベルト駆動装置。
【請求項３】
前記駆動モータを前記ベルト部材の張力を増す方向に付勢する付勢部材を備える
ことを特徴とする請求項１又は２に記載のベルト駆動装置。
【請求項４】
複数の回転体を回転駆動するベルト駆動装置を備える画像読取装置であって、
前記ベルト駆動装置として、請求項１〜３のいずれか一項に記載のベルト駆動装置を用いる
ことを特徴とする画像読取装置。
【発明の詳細な説明】
【技術分野】
【０００１】
本発明は、例えば、複写機、ファクシミリ、プリンタ等の画像形成装置やスキャナ等の画像読取装置等に搭載されるベルト駆動装置、及び該ベルト駆動装置を備える画像読取装置に関する。
【背景技術】
【０００２】
従来のベルト駆動装置を備えるプリンタとして、例えば図５に示すものがある（特許文献１）。
【０００３】
このプリンタは、搬送ローラ３１により搬送されるシートＳに対して記録ヘッド３０により印刷が行われ、印刷後のシートＳは、排紙ローラ３３により下流側に搬送されて排紙される。
【０００４】
搬送ローラ３１の回転軸及び排紙ローラ３３の回転軸には、それぞれプーリ５１，５２が取り付けられ、プーリ５１，５２及び駆動モータ３５のモータ軸に取り付けられたプーリ５０には、ベルト３６が掛け渡されている。また、プーリ５０とプーリ５１との間のベルト３６は、テンショナプーリ３９と当接することにより当接部分が押し上げられ、これにより、ベルト３６に必要な張力が付与される。
【０００５】
そして、この状態で駆動モータ３５を駆動することにより、駆動モータ３５の駆動力がプーリ５０及びベルト３６を介してプーリ５１，５２に伝達され、これにより、搬送ローラ３１及び排紙ローラ３３が回転駆動される。
【先行技術文献】
【特許文献】
【０００６】
【特許文献１】特開２００４−０１０２６３号公報
【発明の概要】
【発明が解決しようとする課題】
【０００７】
しかし、上記特許文献１では、ベルト３６に張力を付与するためのテンショナプーリ３９が必要となるため、部品点数が増え、また、テンショナプーリ３９の組付コストも必要であるため、装置のコストダウンの妨げになる。
【０００８】
そこで、本発明は、部品点数を削減して部品コスト及び組付コストを抑制することで、装置コストを低減することができるベルト駆動装置及び該ベルト駆動装置を備える画像読取装置を提供することを目的とする。
【課題を解決するための手段】
【０００９】
上記目的を達成するために、本発明のベルト駆動装置は、モータ軸に駆動プーリが取り付けられた駆動モータと、複数の回転体の回転軸にそれぞれ取り付けられる従動プーリと、前記駆動プーリ及び複数の前記従動プーリに掛け渡されるベルト部材と、前記駆動モータが取り付けられる支持部材と、該支持部材に前記駆動モータを固定する固定手段と、を備えるベルト駆動装置であって、前記駆動モータは、前記ベルト部材に張力を付与する方向にスライド移動が可能に前記支持部材に支持されているときに、前記ベルト部材の張力が所定の値となるスライド位置に移動し、該スライド位置にて前記固定手段により前記支持部材に固定される、ことを特徴とする。
【００１０】
本発明の画像読取装置は、複数の回転体を回転駆動するベルト駆動装置を備える画像読取装置であって、前記ベルト駆動装置として、前記ベルト駆動装置を用いることを特徴とする。
【発明の効果】
【００１１】
本発明によれば、部品点数を削減して部品コスト及び組付コストを抑制することができるので、装置コストを低減することができる。
【図面の簡単な説明】
【００１２】
【図１】本発明の実施形態の一例であるベルト駆動装置を備える画像読取装置を説明するための概略断面図である。
【図２】ベルト駆動装置の一例を説明するための説明図である。
【図３】本発明の他の実施形態であるベルト駆動装置を説明するための説明図である。
【図４】本発明の他の実施形態であるベルト駆動装置を説明するための説明図である。
【図５】従来のベルト駆動装置を備えるプリンタを説明するための図である。
【発明を実施するための形態】
【００１３】
以下、本発明の実施形態の一例を図面を参照して説明する。
【００１４】
図１は、本発明の実施形態の一例であるベルト駆動装置を備える画像読取装置を説明するための概略断面図である。
【００１５】
図１に示す画像読取装置は、不図示のホストコンピュータから読取開始指示を受け付けると、原稿台２に積載された原稿Ｄがピックアップローラ４により給紙される。給紙された原稿Ｄは、給送ローラ５及び分離ローラ６により分離されるとともに１枚ずつ搬送路に給送され、搬送路に給送された原稿Ｄは、レジストローラ８により一対の画像読取部９ａ，９ｂに向けて搬送される。
【００１６】
レジストローラ８の上流側位置には、原稿Ｄの先端を検知するレジストセンサ７が配置され、不図示の制御部は、レジストセンサ７の検知信号を基に、レジストローラ８の駆動を制御して一対の画像読取部９ａ，９ｂの画像読取タイミングを調整する。そして、レジストローラ８を通過した原稿Ｄは、一対の画像読取部９ａ，９ｂによって表裏の画像が読み取られ、その後、排紙ローラ１１によって外部に排紙される。
【００１７】
次に、図２を参照して、本発明の実施形態の一例であるベルト駆動装置について説明する。
【００１８】
図２に示すように、本実施形態のベルト駆動装置１０は、レジストローラ（回転体）８及び排紙ローラ（回転体）１１を回転駆動するためのもので、排紙ローラ１１の下方位置で装置フレーム１５に取り付けられる駆動モータ１３を備える。装置フレーム１５は、本発明の支持部材の一例である。本実施形態では、駆動モータ１３を装置フレーム１５に直接取り付けた場合を例示したが、駆動モータ１３を不図示の他の部材を介して装置フレーム１５に間接的に取り付けてもよく、また、駆動モータ１３を装置フレーム１５以外の支持部材に取り付けてもよい。
【００１９】
駆動モータ１３のモータ軸１３ａには、プーリ（駆動プーリ）１３ｂが取り付けられ、レジストローラ８及び排紙ローラ１１の各回転軸には、プーリ（従動プーリ）１２ａ及びプーリ（従動プーリ）１２ｂが取り付けられている。プーリ１３ｂ及びプーリ１２ａ，１２ｂには、タイミングベルト（ベルト部材）１４が掛け渡されている。なお、タイミングベルトでない無端ベルトを使用した装置にも本発明を適用できる。
【００２０】
そして、駆動モータ１３の駆動力は、プーリ１３ｂ及びタイミングベルト１４を介してプーリ１２ａ，１２ｂに伝達され、これにより、レジストローラ８及び排紙ローラ１１が回転駆動される。
【００２１】
ここで、装置フレーム１５には、駆動モータ１３を取り付けるための複数（本実施形態では、２つ）のねじ孔（不図示）が駆動モータ１３のモータ軸１３ａを中心に略軸対称の位置に互いに離間して形成されている。２つのねじ孔は、本実施形態では、駆動モータ１３を装置フレーム１５に取り付けた状態において、ベルト１４の内外側でプーリ１３ｂを間に挟む位置で、かつ２つのねじ孔を結ぶ線が装置の水平設置面に対して傾斜する位置に配置される。図の例では、２つのねじ孔を結ぶ線が装置の水平設置面に対して傾斜する角度は、略４５°に設定されている。
【００２２】
一方、駆動モータ１３の取付フランジには、装置フレーム１５の２つのねじ孔に対応する２つのねじ挿通孔１３ｄが周方向に略１８０°離間して形成されている。本実施形態では、２つのねじ挿通孔１３ｄは、モータ軸１３ａを挟む方向で同一方向に延びる長孔状に形成されており、水平設置面に対して略４５°の角度となっている。しかし、後述するように、ねじ挿通孔１３ｄは、水平設置面に対して、より垂直に近い長孔状とすることが望ましい。このような長孔の例を図４に示す。
【００２３】
そして、駆動モータ１３を装置フレーム１５に取り付ける際には、まず、駆動モータ１３の２つのねじ挿通孔１３ｄを装置フレーム１５の２つのねじ孔にあてがい、各ねじ挿通孔１３ｄに挿入したねじ１６を装置フレーム１５のねじ孔に途中までねじ込む。これにより、駆動モータ１３は、タイミングベルト１４に張力を付与する方向にスライド移動が可能に装置フレーム１５に支持される。
【００２４】
次に、プーリ１３ｂ及びプーリ１２ａ，１２ｂに、タイミングベルト１４を掛け渡し、この状態で、駆動モータ１３の自重により該駆動モータ１３を長孔状のねじ挿通孔１３ｄに沿って斜め下方向にスライド移動させる。もちろん、上述のように長孔をより垂直に近い角度となるようにして、自重で略垂直下方向に駆動モータ１３を移動させてもよい。なお、スライド移動としては、平行移動の他に、例えば取付孔の１つを丸孔とし、他の取付孔を円弧状の長孔とし、駆動モータ１３を丸孔を中心に回動させた場合等も含むものとする。
【００２５】
かかるスライド移動によりタイミングベルト１４に必要な所定の値の張力を付与し、該張力が付与された状態となる駆動モータ１３のスライド位置で、ねじ１６を装置フレーム１５のねじ孔に更にねじ込んで締め付け、駆動モータ１３を装置フレーム１５に固定する。ねじ１６は、本発明の固定手段の一例である。なお、固定手段は、ボルト、ナット等でもよく、接着剤等でもよい。
【００２６】
以上説明したように、本実施形態では、駆動モータ１３の自重によりタイミングベルト１４に張力を付与していので、タイミングベルト１４に張力を付与するためのテンションプーリが不要となる。これにより、部品点数を削減して部品コスト及び組付コストを抑制することができ、装置コストを低減することができる。
【００２７】
なお、本発明の構成は、上記実施形態に例示したものに限定されるものではなく、材質、形状、寸法、形態、数、配置箇所等は、本発明の要旨を逸脱しない範囲において適宜変更可能である。
【００２８】
例えば、上記実施形態では、駆動モータ１３側に長孔状のねじ挿通孔１３ｄを形成し、装置フレーム１５側にねじ孔を形成した場合を例示したが、これに限定されない。
【００２９】
例えば、図３に示すように、装置フレーム１５側に長孔状のねじ挿通孔１５ｄを形成し、駆動モータ１３側に不図示のねじ孔を形成した場合も上記同様の作用効果を得ることができる。
【００３０】
また、上記実施形態では、駆動モータ１３の自重のみを利用してタイミングベルト１４に張力を付与する場合を例示したが、これに限定されない。
【００３１】
例えば、駆動モータ１３に錘を取り付けてタイミングベルト１４に張力を付与してもよく、また、駆動モータ１３をタイミングベルト１４の張力を増す方向に付勢するバネ等の付勢部材を併用してもよい。
【００３２】
また、図２及び図３では、駆動モータ１３をプーリ１２ｂの概ね真下に設置したが、図４に示すように、プーリ１２ａとプーリ１２ｂとの略中間位置の下方に設けることが、張力のバランスを考慮すると、より望ましい。
【００３３】
また、モータ軸１３ａに取り付けたプーリ１３ａにおいて、ベルト部材（タイミングベルト１４等）のなす角度θをより大きくすると、少ないモータの自重でより大きな張力を付与できるため、好適である。
【符号の説明】
【００３４】
Ｄ  原稿
１  画像読取装置
２  原稿台
４  ピックアップローラ
５  給送ローラ
６  分離ローラ
７  レジストセンサ
８  レジストローラ
９ａ  画像読取部
９ｂ  画像読取部
１０  ベルト駆動装置
１１  排紙ローラ
１２ａ  プーリ
１２ｂ  プーリ
１３  モータ
１３ａ  モータ軸
１３ｂ  プーリ
１３ｄ  ねじ挿通孔
１４  タイミングベルト
１５  装置フレーム
１５ｄ  ねじ挿通孔
１６  ねじ
【図１】
2010260683.tif 000003
【図２】
2010260683.tif 000004
【図３】
2010260683.tif 000005
【図４】
2010260683.tif 000006
【図５】
2010260683.tif 000007